(57)【特許請求の範囲】
【請求項１】
コンテンツを再生して出力する再生装置と、当該再生装置から出力されたコンテンツを表示する表示装置とを有する映像表示システムであって、
前記表示装置は、前記再生装置から３Ｄ映像を含む３Ｄコンテンツが入力されると、前記再生装置へ当該３Ｄコンテンツの再生を停止するメッセージと３Ｄ映像の視聴の準備を促すメッセージの出力を抑止するメッセージを送信し、３Ｄ映像の視聴の準備を促すメッセージを提示し、ユーザから前記３Ｄコンテンツを再生する指示を受けると、前記再生装置に前記３Ｄコンテンツを再生するメッセージを送信し、
前記再生装置は、前記３Ｄコンテンツの再生を停止するメッセージを受信すると前記３Ｄコンテンツの再生を停止し、前記３Ｄコンテンツを再生するメッセージを受信すると、３Ｄ映像の視聴の準備を促すメッセージを出力せずに前記３Ｄコンテンツを再生して出力することを特徴とする映像表示システム。
【請求項２】
請求項１の映像表示システムであって、
前記表示装置における３Ｄ映像の視聴の準備を促すメッセージの提示は、音声を出力することにより行われることを特徴とする映像表示システム。
【請求項３】
請求項１の映像表示システムであって、
前記表示装置における３Ｄ映像の視聴の準備を促すメッセージの提示は、当該メッセージを表示することにより行われることを特徴とする映像表示システム。
【請求項４】
再生装置から出力されたコンテンツを表示する表示装置であって、
前記再生装置から３Ｄ映像を含む３Ｄコンテンツが入力されると、前記再生装置へ当該３Ｄコンテンツの再生を停止するメッセージと３Ｄ映像の視聴の準備を促すメッセージの出力を抑止するメッセージを送信し、３Ｄ映像の視聴の準備を促すメッセージを提示し、
ユーザから前記３Ｄコンテンツを再生する指示を受けると、前記再生装置に前記３Ｄコンテンツを再生するメッセージを送信することを特徴とする表示装置。
【請求項５】
請求項４の表示装置であって、
前記３Ｄ映像の視聴の準備を促すメッセージの提示は、音声を出力することにより行われることを特徴とする表示装置。
【請求項６】
請求項４の表示装置であって、
前記３Ｄ映像の視聴の準備を促すメッセージの提示は、当該メッセージを表示することにより行われることを特徴とする表示装置。
【発明の詳細な説明】
【技術分野】
【０００１】
技術分野は、映像信号の送受信に関する。
【背景技術】
【０００２】
特許文献１には、「２Ｄ表示される画像、３Ｄ表示される画像をそれぞれ最初から使用者が堪能することができる」（特許文献１［００１０］参照）ことを課題とし、その解決手段として「２Ｄ表示と３Ｄ表示とに切り替え可能な表示手段と、該表示手段に表示させるアプリケーションデータが２Ｄ表示用の画像であるか３Ｄ表示用の画像データであるかを判別する判別手段と、前記表示手段に前記アプリケーションデータを表示する前に前記判別手段での判別結果を前記表示手段に表示させる制御手段と、を備え」（特許文献１［００１０］参照）ることが開示されている。
【先行技術文献】
【特許文献】
【０００３】
【特許文献１】特開２００３−３３３６２４号公報
【発明の概要】
【発明が解決しようとする課題】
【０００４】
特許文献１には「３Ｄ表示を行う手法としては、・・・・特殊な眼鏡を用いることによって立体視を可能とする方式、あるいは、・・・・裸眼による立体視を可能とするパララックスバリヤ方式やレンチキュラレンズ方式」があり、「使用者は、３Ｄ表示される画像を立体視するためには、３Ｄ観察用の特殊な眼鏡をかける、あるいは、３Ｄ表示される画像が立体視されるように観察位置を調整するといった行為を行う必要がある。」と記載されているように、表示される画像を適切に視聴するためには、それぞれの３Ｄ表示方式に応じた調整が必要となる。
【０００５】
ここで、特許文献１は、「３Ｄ画像を録画及び再生可能な表示装置付電子式録画再生機器など」の３Ｄ表示装置と映像信号再生装置とが一体になったものを対象としているため、３Ｄ表示装置の３Ｄ表示方式は予め定められている。よって、３Ｄ表示される画像の視聴に関する注意事項について、映像信号再生装置はその予め定められた３Ｄ表示に関する注意事項のみを表示する構成となっている。
【０００６】
しかし、３Ｄ表示装置と映像信号再生装置とが分離されている場合、映像信号再生装置は接続される表示装置の３Ｄ表示方式を特定することができず、３Ｄ表示される画像の視聴に関する注意事項などの３Ｄ表示に関する案内表示を３Ｄ表示装置で行っているにも関わらず、映像再生装置からも同様の視聴に関する注意事項を２重に表示してしまい、表示が重なって見づらい場合や、案内を了解する操作も２回行わなければならない。
【０００７】
また、ユーザの使用状況に応じた処理については考慮されていない。
【課題を解決するための手段】
【０００８】
上記課題を解決するために、例えば特許請求の範囲に記載の構成を採用する。
本願は上記課題を解決する手段を複数含んでいるが、その一例を挙げるならば、コンテンツを再生して出力する再生装置と、当該再生装置から出力されたコンテンツを表示する表示装置とを有する映像表示システムにおいて、表示装置は、再生装置から３Ｄ映像を含む３Ｄコンテンツが入力されると、再生装置へ３Ｄコンテンツの再生を停止するメッセージと３Ｄ映像の視聴の準備を促すメッセージの出力を抑止するメッセージを送信し、３Ｄ映像の視聴の準備を促すメッセージを提示し、ユーザから３Ｄコンテンツを再生する指示を受けると、再生装置に３Ｄコンテンツを再生するメッセージを送信し、再生装置は、３Ｄコンテンツの再生を停止するメッセージを受信すると３Ｄコンテンツの再生を停止し、３Ｄコンテンツを再生するメッセージを受信すると、３Ｄ映像の視聴の準備を促すメッセージを出力せずに３Ｄコンテンツを再生して出力することを特徴とする。
【発明の効果】
【０００９】
上記手段によれば、３Ｄコンテンツの適切な視聴を促進することが可能となり、ユーザにとって使い勝手の良い装置を提供することができる。
【図面の簡単な説明】
【００１０】
【図１】映像システムの一例を示すブロック図である。
【図２】映像システムにおけるメッセージの送受信の一例を示す図である。
【図３】映像システムにおけるメッセージの一例を示す表である。
【図４】映像システムにおけるメッセージの引数の一例を示す表である。
【図５】映像システムの一例を示すブロック図である。
【図６】３Ｄ眼鏡の角度を示すイメージ図である。
【発明を実施するための形態】
【００１１】
以下、実施例について説明する。以下の実施例において、３Ｄとは３次元を、２Ｄとは２次元を意味する。例えば３Ｄ映像とは、左右の眼に視差のある映像を提示することにより、観察者があるオブジェクトを立体的に、自分と同じ空間に存在するかのように知覚することを可能とする映像を意味する。また、例えば３Ｄ表示装置とは、３Ｄ映像を表示することが可能な表示装置である。また、例えば３Ｄコンテンツとは、３Ｄ表示装置による処理で３Ｄ映像の表示が可能となる映像信号を含むコンテンツである。
【実施例１】
【００１２】
図１は、本実施例における映像伝送システムを示すブロック図であって、映像信号再生装置１２が、３Ｄ表示装置２２とＨＤＭＩ（High-Definition Multimedia Interfaceの略。登録商標。）ケーブル３１を介して接続されている。映像信号再生装置１２は例えばＤＶＤプレイヤー、ＤＶＤレコーダ、Ｂｌｕ‐ｒａｙ  Ｄｉｓｃ（登録商標。）プレイヤー、Ｂｌｕ‐ｒａｙ  Ｄｉｓｃレコーダ、ＨＤＤレコーダ等であって、光ディスクや磁気記録ディスク、半導体メモリなどの記憶媒体１１１、データ読出部１１２、デコード部１１３、ＯＳＤ（On Screen Display）生成部１１４、映像信号合成部１１５、ＣＥＣ（Consumer Electronics Control）通信部１１６、制御部１１７、ＥＤＩＤ（Extended Display Identification Data）読出部１１８、映像送信部１１９を有する。なお、記録媒体１１１は映像信号再生装置１１に内蔵されていてもよいし、着脱可能であってもよい。
【００１３】
映像信号再生装置１１では、記録媒体１１１からデータ読出部１１２により読み出された映像データがデコード部１１３でデコードされる。デコードされた映像データは、必要に応じてＯＳＤ生成部１１４で生成されたＯＳＤと映像信号合成部１１５で合成され、映像送信部１１９から出力される。
【００１４】
３Ｄ表示装置２２は、３Ｄ映像を表示することが可能なディスプレイであり、例えば液晶ディスプレイ、プラズマディプレイ、有機ＥＬディスプレイ等を含む表示装置である。３Ｄ表示装置２１はＣＥＣ通信部２１１と制御部２１２、ＥＤＩＤ記憶部２１３、映像受信部２１４、ＯＳＤ生成部２１５、映像信号合成部２１６、表示部２１７を有する。なお、アンテナで受信した放送波を処理するチューナ、デスクランブラ、デマルチプレクサ、デコーダ等も含む構成としてもよい。
【００１５】
３Ｄ表示装置２２では、映像受信部２１４で受信した映像データを表示部２１７で表示する。また、ＯＳＤ生成部２１５で生成されたＯＳＤ画像を映像受信部２１４で受信した映像データと合成部２１６で合成して表示部２１７に表示させることも可能である。
【００１６】
３Ｄ表示装置２２が３Ｄ映像を表示する方法としては、アナグリフ方式、偏光表示方式、フレーム・シーケンシャル方式、視差（パララックス）バリア方式、レンチキュラレンズ方式、マイクロレンズアレイ方式、光線再生方式等がある。
【００１７】
アナグリフ方式とは、左右異なる角度から撮影した映像をそれぞれ赤と青の光で重ねて再生し、左右に赤と青のカラーフィルタの付いた眼鏡（以下、「アナグリフ眼鏡」ともいう）で見る方式である。
【００１８】
偏光表示方式とは、左右の映像に直交する直線偏光をかけて重ねて投影し、これを偏光フィルタの付いた眼鏡（以下、「偏光眼鏡」ともいう）により分離する方式である。
【００１９】
フレーム・シーケンシャル方式とは、左右異なる角度から撮影した映像を交互に再生し、左右の視界が交互に遮蔽される液晶シャッターを備えた眼鏡（以下シャッター眼鏡ともいう）で見る方式である。
【００２０】
視差バリア方式とは、ディスプレイに「視差バリア」と呼ばれる縦縞のバリアを重ねることで、右眼には右眼用の映像、左眼には左眼用の映像を見せる方式であり、ユーザが特別な眼鏡等を着用する必要がない。視差バリア方式は、さらに視聴する位置が比較的狭い２視点方式、視聴する位置が比較的広い多視点方式等に分類することもできる。
【００２１】
レンチキュラレンズ方式とは、ディスプレイにレンチキュラレンズを重ねることで、右眼には右眼用の映像、左眼には左眼用の映像を見せる方式であり、ユーザが特別な眼鏡等を着用する必要がない。レンチキュラレンズ方式は、さらに視聴する位置が比較的狭い２視点方式、視聴する位置が左右に比較的広い多視点方式等に分類することもできる。
【００２２】
マイクロレンズアレイ方式とは、ディスプレイにマイクロレンズアレイを重ねることで、右眼には右眼用の映像、左眼には左眼用の映像を見せる方式であり、ユーザが特別な眼鏡等を着用する必要がない。マイクロレンズアレイ方式は、視聴する位置が上下左右に比較的広い多視点方式である。
【００２３】
光線再生方式とは、光線の波面を再生することにより、観察者に視差画像を提示する方式であり、ユーザが特別な眼鏡等を着用する必要がない。また、視聴する位置も比較的広い。
【００２４】
なお、３Ｄ映像の表示方式は一例であり、上記以外の方式を採用してもよい。また、アナグリフ眼鏡、偏光眼鏡、シャッター眼鏡等、３Ｄ映像を視聴するために必要な道具や装置を総称して３Ｄ眼鏡、３Ｄ視聴装置または３Ｄ視聴補助具ともいう。
【００２５】
ＨＤＭＩケーブル３１はＣＥＣ線３１１とＤＤＣ（Display Data Channel）線３１２、ＴＭＤＳ（Transition Minimized Differential Signaling）線３１３を有する。
【００２６】
ＨＤＭＩ及びHigh-Definition Multimedia InterfaceはHDMI Licensing, LLCの登録商標であり、映像・音声信号のディジタルインタフェースの一つである。ＣＥＣは、ＨＤＭＩが有する双方向通信による映像機器間制御を行う機能を提供するものである。ＥＤＩＤは、ＶＥＳＡ（Video Electronics Standards Association）が策定した表示装置の受信表示能力を示す記述データ形式であり、ＨＤＭＩが採用している。ＴＭＤＳはＨＤＭＩが採用しているディジタルデータの差動伝送方式である。以下、ＨＤＭＩを例にとって説明するが、他の映像ディジタルインタフェースでも同様に実現できる。
【００２７】
以下、ＣＥＣを用いて、映像信号再生装置１２が３Ｄ表示装置２２へ３Ｄ映像の表示を指示し、表示装置２２が現在の３Ｄ映像の表示状態をリアルタイムに映像信号再生装置１２へ伝える事により、ユーザへより的確にわかりやすい案内表示又は案内音声を提供する実施例を説明する。
【００２８】
図３はＣＥＣに新たに追加するメッセージの定義例を、図４はそのメッセージの引数の定義例を示す。以下、図２に示すメッセージの送受信の一例を用いて、本実施例の動作を説明する。
【００２９】
ユーザ４１が、表示装置２２のリモコンで〔play〕ボタン（コンテンツの再生を指示するボタンであって、再生ボタンともいう。）を押すと、その赤外光を受けた表示装置２２の制御部２１２がＣＥＣ通信部２１１に、ＨＤＭＩケーブル３１のＣＥＣ線３１１を通じて映像信号再生装置１２へリモコン・コード〔Play〕を<User Control Pressed> [“Play"] メッセージで伝えるように制御する。ここで、<  >は命令コード、[  ]は引数を示しており、このメッセージはＨＤＭＩの標準メッセージである。
【００３０】
映像信号再生装置１２のＣＥＣ通信部１１６がそのメッセージを受信すると、制御部１１７が各ブロックを制御し、データ読出部１１２が記憶媒体１１１から３Ｄコンテンツの導入部の映像データを読出し、デコード部１１３が３Ｄ映像信号にデコードし、映像信号合成部１１５を介して映像送信部１１９からＨＤＭＩケーブル３１のＴＭＤＳ線３１３へ３Ｄフォーマットの映像信号を出力する。
【００３１】
または、ＯＳＤ生成部１１４が３Ｄ映像信号を生成し、映像信号合成部１１５を経由して映像送信部１１９からＨＤＭＩケーブルの３１のＴＭＤＳ線３１３へ３Ｄフォーマットの映像信号を出力してもよい。
【００３２】
この３Ｄフォーマットの映像信号を３Ｄ表示装置２２が映像受信部２１４で受信後、映像信号合成部を経由して表示部２１７へ表示する。この表示は、３Ｄ表示装置が３Ｄフォーマットの映像信号を受信した際に、２Ｄ映像を表示する状態（２Ｄ表示状態）を継続するか、３Ｄ映像を表示する状態（３Ｄ表示状態）へ自動切換えを行うかなどは、３Ｄ表示装置のユーザ設定または表示装置メーカの設計などにより変わるものである。本実施例では、いずれの方法を採用してもよい。
【００３３】
映像信号再生装置１２は、３Ｄフォーマットの映像信号の出力開始と合わせて、３Ｄ表示装置に対して３Ｄ表示状態に設定することを要求する<Activate 3D display mode> [“3D”] メッセージを３Ｄ表示装置２２へ送る。このメッセージは図３と図４で定義する本発明の命令コードと引数を用いている。
【００３４】
３Ｄ表示状態に設定することを要求された３Ｄ表示装置２２は、既に３Ｄ表示状態であればユーザ４１への案内表示又は案内音声を省略してもよいが、２Ｄ表示状態から移行する場合は「３Ｄ眼鏡をおかけください」などの案内表示及び／又は案内音声をユーザ４１に提供する。
【００３５】
案内表示の場合は、ＯＳＤ生成部２１５で案内表示用の映像信号を生成後、映像信号合成部２１６によって映像信号再生装置１２から入力される映像信号と合成して表示部２１７で表示を行う。案内音声の場合は、図示していないが、音声生成部で生成した音声や、予め装置に記録してある音声をスピーカで再生する。なお、以下の実施例では、案内表示や案内音声等のユーザに対するメッセージを総称して案内表示等と表現したり、単に案内と表現したりする。
【００３６】
３Ｄ表示装置２２は、案内表示等をユーザ４１に提供するとともに、視聴に関する注意事項などの案内表示等が、３Ｄ表示装置２２からの案内表示等と映像再生装置１２からの案内表示等との両方が二重に、または複数回連続に提示されないようにするために、映像再生装置１２に対して案内表示等が不要であることを示すメッセージ（[“Not need 3D Msg”]）を<Report 3D display mode>として出力することも可能である。また、３Ｄ眼鏡の着用等、ユーザが３Ｄ映像を視聴するための準備期間を確保するために、映像再生装置１２に対して３Ｄコンテンツの再生を待つことを指示するメッセージ（[“Wait”]）を<Report 3D display mode>として出力することも可能である。例えば、映像再生装置１２からの案内表示等が不要で、ユーザが３Ｄ映像を視聴する準備を行う時間を確保したい場合には、３Ｄ表示装置から映像再生装置１２に対して<Report 3D display mode> [“Not need 3D Msg”] [“0”] [“3D”] [“Wait”] メッセージを返答する。このメッセージも図３と図４で定義する本発明の命令コードと引数を用いている。
【００３７】
映像信号再生装置１２は３Ｄコンテンツの再生を開始せずに待機、又は再生時の視聴に関する注意事項を出さずに３Ｄコンテンツの導入部を静止画表示あるいは繰り返し表示などで待機する。
【００３８】
ユーザ４１が３Ｄ眼鏡をかけるなど３Ｄ映像を視聴する準備ができると、ユーザ４１がリモコンの〔Play〕を押す。その赤外光を受けた表示装置２２が案内表示等を中止すると共に、映像信号再生装置１２へリモコン・コード〔Play〕を<User Control Pressed> [“Play"] メッセージで伝え、映像信号再生装置１２は、３Ｄ再生時の視聴に関する注意事項を出す処理を省いて、３Ｄコンテンツの再生を始め、３Ｄ映像信号を３Ｄ表示装置２２へ出力する。
【００３９】
なお、３Ｄ表示装置２２は〔Play〕ボタンに代えて、他のボタン、例えば〔決定〕ボタンなどの所定のボタンを押す案内を行っている場合、ユーザ４１が３Ｄ視聴準備完了時に押すボタンはその案内に従ったボタンであればよい。
【００４０】
また、<User Control Pressed> [“Play"]メッセージに代えて、<Report 3D display mode> [“Not need 3D Msg”] [“0”] [“3D”] [“No Error”] メッセージを送信してもよい。
【００４１】
上記の方法は３Ｄ眼鏡を必要とする方式の３Ｄ表示装置の場合を例にとって説明したが、他の３Ｄ映像の表示方式を採用した表示装置にも適用可能である。例えばレンチキュラレンズ方式等の３Ｄ眼鏡を必要としない裸眼方式の場合は、３Ｄ眼鏡を着用する案内の表示に替えて、視聴範囲が狭い事を伝えて、３Ｄ表示が良好に見える位置への移動を促す案内表示又は案内音声としても良い。
【００４２】
また、２Ｄ／３Ｄ表示の切換ができる３Ｄ表示装置では、ユーザ設定などで２Ｄ表示状態に設定されていることを伝え、３Ｄ表示状態に切換を促す案内表示等を行う構成にしてもよい。この場合、ユーザがあえて２Ｄ表示状態の継続を選択する場合は、３Ｄ表示装置は２Ｄ表示状態のままで、<Report 3D display mode> [“Not need 3D Msg”] [“0”] [“3D”] [“No Error”]を伝送して３Ｄ映像信号を要求しても良い。<Report 3D display mode> [“Not need 3D Msg”] [“0”] [“2D”] [“No Error”]を送ってもよいが、この場合は、３Ｄコンテンツが２Ｄ表示状態を禁止する」フラグを有している場合は３Ｄ映像出力がキャンセルされてしまう可能性があるからである。
【００４３】
本実施例によれば、裸眼方式を採用する３Ｄ表示装置や、２Ｄ／３Ｄを切り換えて表示できる３Ｄ表示装置においても、３Ｄ表示装置は当該３Ｄ表示装置の３Ｄ表示方式や、現在の２Ｄ／３Ｄの切換状態を当該３Ｄ表示装置自身で把握できているので、ユーザに対して適切な案内表示等を提供でき、ユーザにとって使い勝手のよい３Ｄ表示装置を実現できる。
【００４４】
また、３Ｄ表示装置のユーザにおける３Ｄ映像を視聴する準備の状況を、映像信号再生装置で把握可能となるので、映像信号再生装置においてもより適切なコンテンツの再生準備ができるという利点がある。
【００４５】
以上、ＨＤＭＩのＣＥＣ通信メッセージを例にとって説明したが、ＨＤＭＩで定義されたイーサネット（登録商標）チャンネルを通じた通信メッセージででも同様な動作と効果が期待できる。このイーサネットチャンネルを使うことにより、ＣＥＣに比べて短時間での通信が可能になり、より２Ｄ／３Ｄ切換の応答性に優れた３Ｄシステムを構築できる。
【００４６】
本実施例では、記録媒体１１１のコンテンツの再生を例にとって説明したが、ＨＤＭＩで定義されたイーサネットチャンネルを使い、ネットワーク上にある３Ｄのコンテンツ再生時など他の方法を用いたコンテンツ再生時であっても同様の効果が得られる。
【実施例２】
【００４７】
図５は、第２の実施例を示すブロック図である。図１のブロック図と同じ機能を持つ部分には同じ番号を付与している。図１と異なる部分は、期間を計測するタイマ２１８と、検知処理部２１９を備える。
【００４８】
タイマ２１８は、時間やカウント数を計測し、経過期間を計測する。検知処理部２１９は、リモコンの操作信号を検知し、操作の履歴と操作から次の操作までの期間をタイマ２１８で計測することにより、期間に応じて制御２１２を制御する仕組みを備える。
【００４９】
例えば、ユーザが表示装置２２の設定を３Ｄ表示から２Ｄ表示に切替えて、さらに３Ｄ表示に切替える操作をした場合の操作の内容と操作期間を検知し、その操作内容とその期間に応じて制御２１２を制御する仕組みである。
【００５０】
３Ｄ眼鏡の着用を促す案内表示等は、ユーザ３Ｄ眼鏡を着用しているときに表示されると、ユーザにとって煩わしい。そこで、例えばユーザが３Ｄ再生を視聴している際に一時停止し、表示部２１７を２Ｄ表示に切替えて、再度３Ｄ表示に切替える場合に、タイマ２１８が２Ｄ映像を表示している時間を計測し、所定の時間（例えば１分以内）であることを検知処理部２１９が検知すると、ユーザはまだ３Ｄ眼鏡を着用していると判断し、３Ｄ映像を再度表示するときに３Ｄ眼鏡の着用を促す案内表示等を表示させないように構成する。
【００５１】
この構成により、ユーザにとって煩わしい再度の案内表示等を避けることができる。さらに、３Ｄ表示装置は<Report 3D display mode> [“Not need 3D Msg”] [“0”] [“3D”] [“No Error”]を伝送することにより、映像信号再生装置１２からも３Ｄ眼鏡着用の案内を表示させないことができる。
このように、短時間にユーザが２Ｄ、３Ｄ表示の切替操作を行なった場合に、何度も３Ｄ眼鏡の着用を促す案内表示等を行わないようにし、ユーザ操作の使い勝手を向上できる。例えば、２Ｄ、３Ｄの２つの入力信号をユーザが短い期間にザッピングして視聴したい場合に有効である。
【００５２】
また、表示装置が３Ｄ映像を連続して表示する時間をタイマ２１８が計測し、検知処理部２１９が所定の時間、例えば３時間を超えたことを検知すると、ユーザに対して長時間の３Ｄ視聴を警告する案内表示等を行うこともできる。また、表示装置から映像信号再生装置へ<Report 3D display mode> [“Need 3D Msg”] [“0”] [“3D”] [“No Error”]を出力し、映像信号再生装置に３Ｄ視聴に関する案内表示等を出力させることもできる。また、表示装置から映像信号再生装置へ<Report 3D display mode> [“Not need 3D Msg”] [“0”] [“2D”] [“No Error”]を伝送し、自動的に表示装置の設定を２Ｄ表示に切替えを要求してもよい。この際、入力映像信号が３Ｄから２Ｄへ切り替わることを検出する前に、表示装置が２Ｄ表示モードに切替え、切替えたことを表示部に表示してもよい。
【００５３】
検知処理部２１９は、リモコン操作に限らず、人感センサやカメラセンサ、マイクセンサなどにより検知エリア内の人物の在不在の期間や視聴状況、視聴者数、視聴者識別などを検知する機能を持ってもよい。検知処理部２１９において、人感センサやカメラセンサ、マイクセンサなどを含んだ構成の場合には、センサの検知エリア内の人物の動きや顔の検出有無、物音などのセンサ検出結果に基づき、人の存在を検出することができる。
【００５４】
表示部２１７が３Ｄ表示の状態で、検知処理部２１９で人物の不在を検出したタイミングで、省電力などのために表示部２１７を２Ｄ表示もしくは表示部のバックライトや発光を減光又は消灯する省電力モードに切替えるように構成してもよい。それに合わせてタイマ２１８での時間の計測を開始し、再び検知処理部２１９で人物の存在を検出するタイミングまでの期間（不在期間）を計測する。
【００５５】
さらに、表示装置２２が省電力モードに切換えたことを映像信号再生装置１１へReport 3D display mode> [“Need 3D Msg”] [“0”] [“2D”] [“Wait”]または<Report 3D display mode> [“Need 3D Msg”] [“0”] [“3D”] [“Wait”]で伝え、映像信号再生装置１１は一時停止する。
【００５６】
不在期間が所定の時間以下（例えば１分以下）で、ユーザが再び表示装置２２を３Ｄ表示に切替えるか、自動的に表示装置２２が３Ｄでの表示モードに切替わる場合に、<Report 3D display mode> [“Not need 3D Msg”] [“0”] [“3D”] [“No Error”]を伝送する。
【００５７】
この場合、ユーザはまだ３Ｄ眼鏡を着用しているか、ユーザはまだ３Ｄ眼鏡着用の案内を憶えていると判断して、３Ｄ再表示時に３Ｄ眼鏡着用の再案内を表示させないで、わずらわしい再度の案内表示を避けることができる。不在期間が所定時間よりも長い場合には、<Report 3D display mode> [“Need 3D Msg”] [“0”] [“3D”] [“No Error”]を伝送し、３Ｄ眼鏡着用の案内を行うようにすることもできる。また、<Report 3D display mode> [“Not need 3D Msg”] [“0”] [“3D”] [“No Error”]を伝送し、表示装置で３Ｄ眼鏡着用の案内を行うこともできる。
【００５８】
検知処理部２１９において、ユーザの視聴状況をカメラセンサにより検出する場合の例を示す。ユーザが寝そべっているような状況をカメラセンサで検出し、図６に示すθのように表示装置に対する３Ｄ眼鏡の角度を画像認識処理により検出する。例えば、３Ｄ眼鏡の色や形状の特徴点を認識する画像認識処理により、３Ｄ眼鏡を認識した上で、３Ｄ表示装置２２内部のメモリに保存しておいた３Ｄ眼鏡が表示装置正面に対して真っ直ぐ前を向いている場合の画像との角度の差（θ）を算出する。
【００５９】
θが０度の場合には、３Ｄ眼鏡が表示装置正面に対して真っ直ぐ前を向いている状態であるため、ユーザが左目用映像と右目用映像から立体像を融像し易い。しかし、θが０度から大きくなるにつれて、左目用映像と右目用映像が正しく左目、右目に入らずに立体像を融像するのが困難な状況となる。θがある所定角度以上になったと判断した場合には、<Report 3D display mode> [“Need 3D Msg”] [“0”] [“3D”] [“No Error”]を伝送し、映像信号再生装置１１に３Ｄ眼鏡着用の案内や注意を出力させることができる。
【００６０】
また、<Report 3D display mode> [“Need 3D Msg”] [“0”] [“2D”] [“No Error”]を伝送し、映像信号再生装置１１に３Ｄ眼鏡着用の案内や注意を出力させた上で、２Ｄ表示に切替えても良い。
【００６１】
また、<Report 3D display mode> [“Not need 3D Msg”] [“0”] [“3D”] [“No Error”]を伝送し、表示装置が３Ｄ眼鏡に関する案内（３Ｄ眼鏡の角度やユーザの視聴姿勢の修正を促すメッセージ等）を行うようにしてもよい。
【００６２】
また、<Report 3D display mode> [“Not need 3D Msg”] [“0”] [“2D”] [“No Error”]を伝送し、表示装置が表示する映像を２Ｄに変更する案内を行うようにしてもよい。
【００６３】
また、３Ｄ表示を継続させる場合には、表示装置１２から映像信号再生装置２２にθの値を引数に追加したメッセージを送り、映像信号再生装置１１に現在の３Ｄ眼鏡の角度に合わせて補正した３Ｄ映像信号を出力させるようにして、ユーザに最適な映像表示を提供することもできる。
【００６４】
また、表示装置が３Ｄ表示の状態時に、検知処理部２１９においてカメラセンサで取得した画像から画像認識処理により視聴者の３Ｄ眼鏡の着用の有無を検出して、３Ｄ眼鏡着用が無いのを検知した場合には、<Report 3D display mode> [“Need 3D Msg”] [“0”] [“3D”] [“No Error”]を伝送し、３Ｄ眼鏡着用の案内を行うことや、<Report 3D display mode> [“No need 3D Msg”] [“0”] [“3D”] [“No Error”]を伝送し、表示装置が同様の案内を行うようにすることもできる。
【００６５】
また、検知処理部２１９においてカメラセンサの顔検出機能などを利用し、顔の検出数と、３Ｄ眼鏡の検出数が一致しない場合には、<Report 3D display mode> [“Need 3D Msg”] [“0”] [“3D”] [“No Error”]を伝送し、３Ｄ眼鏡着用の案内を行うことや、<Report 3D display mode> [“No need 3D Msg”] [“0”] [“3D”] [“No Error”]を伝送し、表示装置が同様の案内を行うようにすることもできる。
【００６６】
次に、検知処理部２１９において、カメラセンサの顔検出機能やリモコン操作手順などから、視聴者の識別をする例を説明する。例えば、表示部２１７が３Ｄ表示に切替わったタイミングで、カメラで視聴者の顔を撮影し、事前に登録してある顔画像データとのマッチングを取り、その人物を特定して視聴者を識別する方法や、リモコンにユーザを識別するようなボタンを備えて、ユーザのボタンを押下することにより視聴者を識別する方法などが考えられる。
【００６７】
これらの方法により、視聴者を識別し、視聴者が６歳以下の子供を検出した場合には、<Report 3D display mode> [“Need 3D Msg”] [“0”] [“3D”] [“No Error”]を伝送し続けることにより、規定年齢以下の視聴者に３Ｄ視聴をさせないように３Ｄ視聴上の注意を表示させることや、<Report 3D display mode> [“No need 3D Msg”] [“0”] [“3D”] [“No Error”]を伝送し、表示装置が同様の案内を行うようにすることができる。また、<Report 3D display mode> [“Not need 3D Msg”] [“0”] [“2D”] [“No Error”]を伝送し、強制的に２Ｄ表示用の映像信号に切替えるようにしても良い。この場合、表示装置において子供に対しては３Ｄ表示できないこと等を示す案内を行うようにしても良い。また、<Report 3D display mode> [“Need 3D Msg”] [“0”] [“2D”] [“No Error”]を伝送し、映像信号再生装置が同様の案内を行った上で、２Ｄ表示用の映像信号に切替えるようにしても良い。
【００６８】
上記の実施例において、映像信号再生装置に案内を行わせる場合に、案内を表示する回数や表示時間、３Ｄ視聴メッセージの種類等を引数に追加しても良い。例えば、１分間３Ｄ眼鏡着用を促すメッセージを表示させるなどの制御も可能となる。
【００６９】
上記例以外の場合でも、[“Need 3D Msg”]と[“Not need 3D Msg”]の引数を受け渡すことで、検知処理部２１９で検出した結果に基づき、３Ｄ眼鏡着用の案内表示の有無を制御し、ユーザの使い勝手や安全性確保の向上をすることができる。
【実施例３】
【００７０】
上記の実施例では、３Ｄ表示装置２２から映像信号再生装置１２に、メッセージを伝送して映像信号再生装置１２の３Ｄ眼鏡着用の案内表示の有無を制御する例を説明した。本実施例では、映像信号再生装置１２から３Ｄ表示装置２２に対して、出力する案内表示内容の種別の情報や表示位置を引数を持つメッセージを３Ｄ表示装置２２に伝送し、３Ｄ表示装置２２が３Ｄ表示に関する追加の案内表示の必要性を判断して、案内表示を追加してもよい。なお、当該メッセージに代えて、映像に付与されるメタデータを用いてもよい。
【００７１】
引数又はメタデータに記載する案内表示内容の種別情報としては、例えば３Ｄ視聴の一般的な注意、顔を斜めにして見ない注意、低年齢者の視聴をさける注意、３Ｄ眼鏡着用の注意、３Ｄ視聴準備ができるまで一時停止の案内などがある。３Ｄ表示装置２２が映像信号再生装置１２の出力する３Ｄ視聴に関する案内表示の種別を知ることにより、重複する案内表示を避けることができる。
【００７２】
さらに、これらの案内の表示位置が画面の中央、上下左右の位置などの表示位置・大きさ情報を引数又はメタデータに追加しておくことにより、３Ｄ表示装置２２が、映像信号再生装置１２が出力する３Ｄ視聴の注意と重ならないように追加の注意表示ができるので、ユーザへ両方の注意をより確実に伝えることができる。
【符号の説明】
【００７３】
１２  映像信号再生装置、１１１  記憶媒体、１１２  データ読出部、１１３  デコード部、１１４，２１５  ＯＳＤ生成部、１１５，２１６  映像信号合成部、１１６，２１１  ＣＥＣ通信部、１１７，２１２  制御部、１１８  ＥＤＩＤ読出部，１１９  映像送信部、２２  ３Ｄ表示装置、２１３  ＥＤＩＤ記憶部、２１４  映像受信部、２１７  表示部、２１８  タイマ、２１９  検知処理部、３１  ＨＤＭＩケーブル、３１１  ＣＥＣ線、３１２，ＤＤＣ線、３１３  ＴＭＤＳ線、４１  ユーザ、５１  ３Ｄ眼鏡
【図１】
0005452537.tif 000002
【図２】
0005452537.tif 000003
【図３】
0005452537.tif 000004
【図４】
0005452537.tif 000005
【図５】
0005452537.tif 000006
【図６】
0005452537.tif 000007